(57)【要約】【課題】コークス炭化炉１から流入した炉内ガスを燃焼しながら炉蓋側に装入された石炭粒子２を加熱する炉内ガス燃焼室１３を設けた炭化炉蓋３に、該炉内ガスを燃焼させるに必要な量の空気を長期間安定して供給する炉内ガス燃焼用空気供給量制御ノズル１７を付設したコークス炭化炉用昇温炉蓋を提供する。【解決手段】空気チャンバー１９にガス昇降流通ガイド板２３を設けて二分する一側の隔離室に着脱自在な閉塞弁盤３４を載置しかつ該閉塞弁盤３４の搭載自重で垂直方向に圧縮するコイルバネ３５を囲繞した空気吸引パイプ２６を設けまた他側の隔離室に吸入空気送出パイプ２９または側壁上方側に吸入空気通気孔３０を穿設した吸入空気送出カップ３１を設けた炉内ガス燃焼用空気供給量制御ノズル１７を、炭化炉蓋３のコークス炭化炉側に設けた炉内ガス燃焼室１３に付設したコークス炭化炉用昇温炉蓋。【選択図】図２
2006233163.tif 000002
【特許請求の範囲】
【請求項１】
空気チャンバー内にガス昇降流通ガイド板を設けて左右に二分する隔離室の一側には下方側を空気吸入口とし上方側を水平端面な吸入空気吐出口とする空気吸引パイプをまた他側の隔離室には下方側を炭化炉蓋のコークス炭化炉側に設けた炉内ガス燃焼室に連通する吸入空気送出口としかつ上方側を吸入空気流入口とする吸引空気送出パイプまたは側壁の上部側に吸入空気通気孔を穿設した吸入空気送出カップとを前記空気チャンバーの底板を貫通して該空気チャンバー内に突設し、さらに前記した空気吸引パイプの吸入空気吐出口に着脱自在な閉塞弁板を載置しかつ空気吸引パイプの外周に遊嵌し該閉塞弁板の搭載自重で圧縮するコイルバネを空気チャンバーの底板にまたは架台で載置すると共に、吸引空気送出パイプの吸入空気吐出口上方に閉塞弁板飛行制止板を架設しかつ吸入空気の気流ガイド板を囲繞した閉塞弁板昇降ガイドフレームを該空気吸引パイプからコイルバネを介して離隔する位置に設け、さらには閉塞弁板の空気吸入口側に閉塞弁板昇降ガイド用のコイルバネ遊嵌リングを設けまた空気チャンバーの底板または架台にコイルバネの下端部側を定着するコイルバネ遊嵌リングを設けて構成した炉内ガス燃焼用空気送出量制御ノズルを、前記炉内ガス燃焼室に付設した事を特徴とするコークス炭化炉用昇温炉蓋。
【請求項２】
空気チャンバー内にガス昇降流通ガイド板を設けて左右に二分する隔離室の一側には下方側を空気吸入口とし上方側を水平端面な吸入空気吐出口とする空気吸引パイプを設け他側の隔離室には下方側を炭化炉蓋のコークス炭化炉側に設けた炉内ガス燃焼室に連通する吸入空気送出口としかつ上方側を吸入空気流入口とする吸引空気送出パイプまたは側壁の上部側に吸入空気通気孔を穿設した吸入空気送出カップとを前記空気チャンバーの底板を貫通して該空気チャンバー内に突設し、さらに空気チャンバー内の吸引空気送出パイプまたは吸入空気送出カップの上方側に炉内ガス淀み空間を形成する大口径の下向き外套カップを被着しまた前記した空気吸引パイプの吸入空気吐出口に着脱自在な閉塞弁板を載置しかつ空気吸引パイプの外周に遊嵌し該閉塞弁板の搭載自重で圧縮するコイルバネを空気チャンバーの底板にまたは架台で載置すると共に、吸引空気送出パイプの吸入空気吐出口上方に閉塞弁板飛行制止板を架設しかつ吸入空気の気流ガイド板を囲繞した閉塞弁板昇降ガイドフレームを該空気吸引パイプからコイルバネを介して離隔する位置に設け、さらには閉塞弁板の空気吸入口側に閉塞弁板昇降ガイド用のコイルバネ遊嵌リングを設けまた空気チャンバーの底板または架台にコイルバネの下端部側を定着するコイルバネ遊嵌リングを設けて構成した炉内ガス燃焼用空気送出量制御ノズルを、前記炉内ガス燃焼室に付設した事を特徴とするコークス炭化炉用昇温炉蓋。
【発明の詳細な説明】
【技術分野】
【０００１】  本発明は、石炭粒子からコークスを製造するコークス炭化炉の昇温用ドア（炉蓋）に関するものである。
【技術背景】
【０００２】  コークス炭化炉に装入された石炭粒子の乾留処理を終えて製造されたコークスを取出（窯出し）する毎にコークス炭化炉の出入口を開閉する炭化炉蓋は、頑丈な鉄骨炉蓋フレーム構造体に大型耐火煉瓦を内張りして耐熱性を確保し、さらに炉蓋フレーム構造体と大型耐火煉瓦との間に炉口枠を押圧し出入口を閉塞する耐熱金属のシールプレートを設けて炉内ガスの漏洩を防止する密封構造に製作されている。しかしながら、耐火煉瓦が高温度の乾留熱を吸収するため、炉蓋付近に装入された石炭粒子が充分に乾留されず、不良コークスが多く窯出しされる問題があった。
【０００３】  この様な問題に対処して開発されたのが、特公平３−４００７４号公報や特公平５−３８７９５号公報などで紹介される様に、炉蓋フレーム構造体の炭化炉側に熱伝導性金属隔壁で分離された垂直な炉内ガス通路に小さな炉内ガス導入孔を設けた炭化炉蓋、さらに該炉内ガス通路に空気や酸素を吹き込むノズルを設けた炭化炉蓋である。この様な炭化炉蓋は、上記した耐火煉瓦を内張りした炉蓋に較べ、炉蓋付近に装入された石炭粒子の乾留速度を速め不良コークスの発生を少なめる効果を有するが、実用化に至っていない。その理由は明らかにされないが、本発明者らの推測によると、薄鋼板で組み立てられた隔壁体が炉蓋を開閉する毎に急熱急冷の熱サイクルの影響を受けて変形する問題、変形した隔壁体が耐火物構造のコークス炭化炉壁を擦り落とす問題、擦り落された耐火物の破片が窯出しされる乾留コークスに混ざり込む問題、石炭粒子から舞い上がる石炭微細粒子が小さな炉内ガス導入孔に堆積しまたタール化して炉内ガスの導入を停止するなど、コークス生産に支障を来す多くの問題があったものと思われる。
【０００４】  これらの問題を解消した炉蓋が、例えば特開２００４−１８８５２号公報や特開２００４−９９８５９号公報で紹介される様に、「炉蓋構造体の断熱ボックスに、炉高方向を複数段に分割する位置に設けた横体支持枠の上下離隔間に石炭粒子遮蔽用の耐熱金属製短冊板を左右に通気間隙を設けて縦横に並列しかつ着脱自在に吊設して構成したコークス炉内ガス回遊隔離室を設けた、コークス炭化炉用昇温炉蓋」である。
【特許文献１】特公平３−４００７４号公報
【特許文献２】特公平５−３８７９５号公報
【特許文献３】特開２００４−１８８５２号公報
【特許文献４】特開２００４−９９８５９号公報
【発明の開示】
【発明を解決しようとする課題】
【０００５】  そこで本発明者らは、コークス炭化炉用昇温炉蓋のコークス炉内ガス回遊隔離室すなわち炉内ガス燃焼室において、正圧域での炉圧変化から正圧域と負圧域を交互に繰り返しながら変動し徐々に低圧化する炉況の中で、炉内ガス燃焼室の炉圧変化を高感度に捉え炉内ガス燃焼室が負圧時に、コークス炭化炉から流入した不完全燃焼（未燃焼）の炉内ガスが燃焼するに必要な量の空気を、電気的制御に依らず機械的動作で、送給するノズルを付設したコークス炭化炉蓋を先に開発した。さらに本発明者らは、このノズルを炉内ガス燃焼室に流れ込んだ未燃焼の炉内ガスを燃焼させる必要な量の空気を長期間安定して確実にかつ迅速に送給する構造に改善すると共に、燃焼で上昇した該炉内ガス燃焼室の高温度の熱で炉蓋側に装入された石炭粒子を加熱促進せしめ、同時に炉蓋の底部または側面部で発生するタールも燃焼熱で分解焼失させるコークス炭化炉用昇温炉蓋を提供するものである。
【課題を解決するための手段】
【０００６】  この課題に対応した本発明の要旨は、空気チャンバー内にガス昇降流通ガイド板を設けて左右に二分する隔離室の一側には下方側を空気吸入口とし上方側を水平端面な吸入空気吐出口とする空気吸引パイプをまた他側の隔離室には下方側を炭化炉蓋のコークス炭化炉側に設けた炉内ガス燃焼室に連通する吸入空気送出口としかつ上部側を吸入空気流入口とする吸入空気送出パイプまたは側壁上方側に吸入空気通気孔を穿設した吸入空気送出カップとを前記空気チャンバーの底板を貫通して該空気チャンバー内に突設し、必要によっては空気チャンバー内の吸入空気送出パイプまたは吸入空気送出カップの上方側に炉内ガス淀み空間を形成する大口径の下向き外套カップを被着し、さらに前記した空気吸引パイプの吸入空気吐出口に着脱自在な閉塞弁板を載置しかつ空気吸引パイプの外周に遊嵌し該閉塞弁板の搭載自重で圧縮するコイルバネを空気チャンバーの底板にまたは架台で載置すると共に、空気吸引パイプの吸入空気吐出口上方に閉塞弁板飛行制止板を架設しかつ吸入空気の気流ガイド板を囲繞した閉塞弁板昇降ガイドフレームを該空気吸引パイプからコイルバネを介して離隔する位置に設け、さらには閉塞弁板の空気吸口側にコイルバネの上端部側を遊嵌するコイルバネ遊嵌リングを設けまた空気チャンバーの底板または架台にコイルバネの下端部側を遊嵌するコイルバネ遊嵌リングを設けてなる炉内ガス燃焼用空気送出量制御ノズルを、前記炉内ガス燃焼室に付設したコークス炭化炉用昇温炉蓋を提供するものである。
【発明の効果】
【０００７】  本発明のコークス炭化炉用昇温炉蓋は、炉内ガス燃焼用空気送出量制御ノズルがコークス炭化炉で発生し炉内ガス燃焼室に流れ込んだ未燃焼性炉内ガスを燃焼させるに必要な量の空気を全て機械的動作で炉内ガス燃焼室に送給するため、保全管理が簡便であり、過剰な量の空気の送給による炉内ガス燃焼室の温度降下と石炭粒子の焼き過ぎ（灰分化）を防止する効果を有する。また炉内ガス燃焼室の一瞬の高圧変化で該炉内ガス燃焼室から吸引空気送出パイプを経て空気チャンバーに逆流する炉内ガスに含まれる石炭やタールなどの浮遊粒子は、ガス昇降流通ガイド板の減圧（減速）作用によって、吸引空気送出パイプまたは吸引空気送出カップの取付側隔離室で分離されるため、空気吸引パイプ側が汚染される事がなく、空気吸入量を制御する閉塞弁板が円滑に作動し、炉内ガスが燃焼するに必要な空気を炉内ガス燃焼室に長期間安定して送給し、炉蓋付近の石炭粒子の乾留を速める効果を有する。
【発明を実施するための最良の形態】
【０００８】  以下、本発明について図面を参照しながら詳細に説明する。
図１は、コークス炭化炉のコークス排出側（またはコークス押出側）の出入口を閉塞した炭化炉蓋とその近傍のコークス炭化炉の断面図を示す。１はコークス炭化炉で、石炭粒子２が装入されている。すなわち、コークス炭化炉１は、両側に隣接した加熱炉（図示せず）で、石炭粒子２を乾留する炉体構造に設けられている。３は炭化炉蓋である。炭化炉蓋３は、コークス炭化炉１の炉口枠４を押圧する締結機能構造に製作された頑丈な鋼鉄製炉蓋フレーム５のコークス炭化炉側にスライドプレート６、ナイフエッジ断面形状のフランジ部材７を周設してコークス炭化炉１の炉口枠４に当接する耐熱金属のシールプレート８や炉内プレート９などを介装し、さらにアルミナシリケートやセラミックスファイバーなど一般に使用される断熱材１０を充填した断熱ボックス１１を介してコークス炭化炉１の出入口１２に突出する炉内ガス燃焼室１３を設けて構成されている。炉内ガス燃焼室１３は、コークス炭化炉１で石炭粒子２を乾留する際に発生する炉内ガスが流れ込み易い様に、対面あるいは側面にも狭隘なガス流通隙間（または流通孔）を設けた耐熱金属製の中空構造物であって、例えば図示する様に、断熱ボックス１２の炉高方向を複数段に分割する位置に固定した横支持枠１４に、耐熱金属製の短冊板１５を、左右または上下あるいはその両者にガス流通隙間１６を設けかつ着脱自在な係合手段を利用して縦横に架設した構造体である。また炉内ガス燃焼室１３は、多数の環状または不連続環状の耐熱金属製短冊フレームの上下側にガス流通隙間を設けて多段状に横設したり、コークス炭化炉を低く断熱ボックス側を高く傾設した中空構造体であってもよい。すなわち、本発明において炉内ガス燃焼室１３とは、炉内ガスが流れ込む枠体構造の炉内ガス流通構造に設けたもので、その構造について特に限定するものでない。１７は炉内ガス燃焼用空気送出量制御ノズルで、炭化炉蓋３に付設され、接続パイプを介して炉内ガス燃焼室１３に連通する構造に設けられている。炉内ガス燃焼用空気送出量制御ノズル１７は、コークス炭化炉１からガス流通隙間１６を通って炉内ガス燃焼室１３に流れ込んだ炉内ガスを燃焼させるに必要な量の空気を吸い込み炉内ガス燃焼室１３に送給する装置で、その構造の詳細について後述するが、炭化炉蓋３の炉高方向に１基または任意の間隔を設けて２基以上が付設される。１８は閂で、炭化炉蓋３を炉口枠４に強く押圧し出入口１２を閉塞するもので、圧縮バネや螺子ボルトなどの締結部材を組み合わせて製作されている。また炭化炉蓋３には、出入口１２を封着するシールプレート８のフランジ部材７を炉口枠４に押圧するシリンダーやバネなどを使用した進退自在な押圧機構に設けられている。すなわち、炭化炉蓋３は、コークス炭化炉１の出入口１２を開閉可能に設け、炉内ガスを燃焼させる構造に設けられている。【０００９】  図２は、図１において炭化炉蓋３の炉内ガス燃焼室１３に付設する炉内ガス燃焼用空気送出量制御ノズル１７の一実施例を、拡大断面図で示す。１９は空気チャンバーである。空気チャンバー１９は、底板２０と天板２１と側面板２２を中空状の矩形断面、円筒断面など任意な中空断面形状のボックス状に組立てた密閉構造のボックスで、コークス炭���炉１から炉内ガス燃焼室１３に流れ込んだ未燃焼の炉内ガスを燃焼させるに必要な量の空気を吸い込みまた炉内ガス燃焼室１３に送給する空気量制御機器が組み込まれている。空気チャンバー１９には、任意な位置にガス昇降流通ガイド板２３を設けて該室内を左右に二分する隔離室Ａと隔離室Ｂを設け、一側の隔離室Ａ（またはＢ）には下方側を空気吸入口２４としまた上方側を水平端面な吸入空気吐出口２５とする空気吸引パイプ２６を、他側の隔離室Ｂ（またはＡ）には、下方側を炉内ガス燃焼室１３に連通する吸入空気送出口２７としかつ上方側を吸入空気流入口２８とする吸入空気送出パイプ２９または図３で示す様な下方側を炉内ガス燃焼室１３に連通する吸入空気送出口２７としかつ側壁上方側に吸入空気通気孔３０を穿設した下方側開口の吸入空気送出カップ３１を、空気チャンバー１９の底板２０を貫通して該空気チャンバー１９内に突出させて設けている。ガス昇降流通ガイド板２３は、炉内ガス燃焼室１３が高圧のとき、炉内ガス燃焼室１３から隔離室Ｂの吸引空気送出パイプ２９または吸入空気送出カップ３１を経て隔離室Ａの空気吸引パイプ２６に逆流する炉内ガスを減圧しながら、該炉内ガス中に混在する石炭やタールなどの浮遊粒子を該吸引空気送出パイプ内や隔離室Ｂに落下させて分離除去し清浄化するものであって、空気チャンバー１９の上下間長さよりも短いガス流堰板３２の１枚を底板２０または天板２１に固定し、あるいは２枚以上の多数枚を左右に炉内ガス流通間隙３３を設けて空気チャンバー１９の底板２０または天板２１との間を交互に固定して構成したものである。またガス流堰板３２は、平板断面、弧状断面、波状断面などの板条材を同一形状または任意な複合形状に組合わせ、炉内ガスが空気チャンバー１９内を上下に蛇行しながら流通するガス昇降流通ガイド板２３に設けられている。【００１０】  さらに本発明においては、炉内ガス燃焼室１３に送給する空気の吸引量（または送出量）を必要量に制御するために、空気吸引パイプ２６の吸入空気吐出口２５に着脱自在な閉塞弁盤３４を載置し、空気吸引パイプ２６の外周には該閉塞弁盤３４の搭載自重で圧縮するコイルバネ３５を遊嵌し空気チャンバー１９の底板２０または架台３６に載置すると共に、空気吸引パイプ２６の吸入空気吐出口２５から過剰な高さに浮上する閉塞弁盤３４の飛行を制止する円板や環状板あるいはリボン状など任意な形状に成した閉塞弁盤飛行制止板３７を架設しかつ空気吸引パイプ２６を囲繞するコイルバネ３５を介して該空気吸引パイプ２６を取り囲む離隔位置に立設する２本または３本以上のガイド棒からなる枠体構造の弁盤昇降ガイドフレーム３８が、閉塞弁盤３４の昇降動作を阻害しない隙間を設けて底板２０または架台３６に固定されている。コイルバネ３５は、閉塞弁盤３４の浮上作用を助けまた降下時の衝撃を吸収するものである。また閉塞弁盤３４を外気と炉内ガス燃焼室１３の微小な差圧でも感度よく昇降させるため、空気チャンバー１９の隔離室Ａで局部的に淀む空気または炉内ガスの影響を避ける様に、気流空間を形成する気流ガイド板３９が弁盤昇降ガイドフレーム３８の外周上方側を囲繞する様にパイプ状に設けられている。また気流ガイド板３９の上端部��、閉塞弁盤飛行制止板３７に接近あるいは一体物に接着してもよい。さらに閉塞弁盤３４が同一垂直線上を昇降する様に、閉塞弁盤３４の空気吸引パイプ側にはコイルバネ３５の上端部側を遊嵌するコイルバネ遊嵌リング４０を設け、また空気チャンバー１９の底板２０または架台３６にはコイルバネ３５の下端部側を遊嵌するコイルバネ遊嵌リング４１を設けている。つまり、コイルバネ遊嵌リング４０は、昇降する閉塞弁盤３４が、降下したときにコイルバネ３５に片乗りする事なく定位置に搭載するためのガイド用リングであり、コイルバネ遊嵌リング４１は、閉塞弁盤３４が昇降する度に伸縮するコイルバネ３５の横移動させる事なく、定位置に安置させるものである。
上記の様に組立られた本発明における炉内ガス燃焼用空気送出量制御ノズル１７は、炉内ガス燃焼室１３が正圧の場合は連通する空気チャンバー１９も正圧になり、閉塞弁盤３４の上面に圧力が掛かってコイルバネ３５を圧縮し、該閉塞弁盤３４が空気吸引パイプ２６の上端面に吸着される様に載置し、空気の吸引を制止する。その反対に、炉内ガス燃焼室１３が負圧になった場合は空気チャンバー１９が負圧になり、閉塞弁盤３４が吸い上げられて浮上し、伸長するコイルバネ３５にも押し上げられながら空気吸引パイプ２６の吸入空気吐出口２５を開放し、その間に空気を吸引する。この様に閉塞弁盤３４が炉内ガス燃焼室１３の炉圧状況に追従する開閉動作を繰り返しながら、炉内ガス燃焼室１３に流入した炉内ガスを燃焼するに必要な量の空気を、空気チャンバー１９を介して、該炉内ガス燃焼室１３に送り込む機械的構造に設けられている。
尚、上記した炉内ガス燃焼用空気送出量制御ノズル１７において、閉塞弁盤３４の昇降動作を効果的に駆動させるにはガラス板、金属板、雲母板や合成樹脂などの軽量材料を使用するとよい。中でもガラス板は、炉内ガスに変質する事がなく、使用温度に変形する事がなく、平垣性にも優れているため、他の材料よりも適している。【００１１】  さらに本発明は、上記の炉内ガス燃焼用空気送出量制御ノズル１７を示す図２および図３において、４２は大口径の下向き外套カップで、必要に応じて使用されるものである。下向き外套カップ４２は、図２の吸入空気送出パイプ２９または図３の吸入空気送出カップ３１を内側上方に炉内ガスの噴留空間室Ｓを設ける様に被せる事によって、吸入空気送出パイプ２９の吸入空気流入口２８あるいは下方側開口の吸入空気送出カップ３１の吸入空気通気孔３０から噴出する炉内ガスの噴出速度を減速し、該炉内ガスに含まれる石炭などの浮遊粒子を噴出付近で落下除去し、閉塞弁盤３４の昇降付近の汚染化を防止して吸引空気の流通性を確保すると共に、良好なコークスの製造歩留りを向上する効果を有する。【００１２】  さらに上記した炉内ガス燃焼用空気送出量制御ノズル１７は、図１で示す様に、吸入空気送出パイプ２９または吸入空気送出カップ３１と炉内ガス燃焼室１３に内設される空気噴出ノズルパイプ４３とを、噴出炉内ガス誘導パイプにも使用される送給空気誘導用接続パイプ４４や開閉バルブ４５を介して接続される。特に本発明においては、炉内ガス燃焼用空気送出量制御ノズル１７また接続パイプ間で目詰まりや損傷などを起こした場合に、分解補修作業や部品交換作業に都合のよいネジ継手法による組立工法が便利である。また開閉バルブ４５を使用する事は、急遽不必要になった空気を人為的に送出停止する場合に便利である。また空気噴出ノズルパイプ４３のノズル部分については、特に限定するものでなくパイプ孔、分散ノズル孔など任意な形状のノズル孔を使用してもよい。【００１３】  以上の様に構成された本発明のコークス炭化炉用昇温炉蓋は、前記した従来の炉蓋と同様に取扱われ、コークス製造作業が行われる。石炭粒子２の乾留初期においては、該石炭粒子２から発生した未燃焼ガスを含有した多量の炉内ガスがコークス炭化炉１の上方排気口（図示せず）から流れ出しまたその一部が炉内ガス燃焼室１３に流れ込み、コークス炭化炉１も炉内ガス燃焼室１３も正圧になる。この時の炉内ガス燃焼用空気送出量制御ノズル１７は、炉内ガス燃焼室１３の正圧に連動し、空気チャンバー１９の閉塞弁盤３４が空気吸引パイプ２６の吸入空気吐出口２５を押圧する様に降下し、空気の吸引を遮断する。乾留時間の経過に炉内ガスの発生量が徐々に減少し、炉内ガス燃焼室１３は正負圧境界域を交互に上下に繰り返しながら乾留末期まで続く。この現象が起因する理由は現時点では明らかにする事ができないが、本発明者らの推察によれば、石炭粒子２から発生する炉内ガス発生量の減少とコークス炭化炉１と炉内ガス燃焼室１３との間で起こるガス流通経路の変化によるものと考える。正負圧境界域で変化する炉内ガス燃焼室１３が負圧化する毎に空気チャンバー１９も負圧化し、閉塞弁盤３４が空気吸引パイプ２６の吸入空気吐出口２５から吸い上げられ浮上し、浮上時間に見合った量の空気すなわち炉内ガス燃焼室１３に流れ込んだ炉内ガスを燃焼させるに必要な量の空気を送り込み、未燃焼ガスを燃焼させる。燃焼した際の熱圧で炉内ガス燃焼室１３は正圧になり、閉塞弁盤３４は、空気吸引パイプ２６の吸入空気吐出口２５を塞ぎ、空気の吸引を絶つ。この燃焼圧の影響を受けて空気チャンバー１９に逆流する炉内ガスは、ガス昇降流通ガイド板２３あるいは必要に応じて設けられた下向き外套カップ４２の流通抵抗による減速効果で、該炉内ガスに含有される石炭などの浮遊粒子の一部が吸入空気送出カップ３１内に落下しまた空気チャンバー１９の隔離室Ｂで落下し堆積する。従って、空気チャンバー１９をガス昇降流通ガイド板２３で隔離された隔離室Ａは、炉内ガスに含まれる浮遊粒子で汚染される事がなく、炉内ガス燃焼室１３に流れ込んだ炉内ガスを燃焼させるに必要な量の空気を長期間安定して送給する事ができる。【００１４】  さらに本発明は、コークス乾留中に何らかの原因で、炉内ガス燃焼室１３の炉内ガスを燃焼させるに必要な量以上の空気を吸い込んで局部的に小爆発を起こす危険性を察したときは、開閉バルブ４４を閉める事によって、空気の供給を遮断し、未然に小爆発を防止する事ができる。
【産業上の利用可能性】
【００１５】  世界的にコークス供給量の不足さらには一刻も早い環境改善対策が叫ばれる中で、本発明のコークス炭化炉蓋は、時代の要求に叶った装置として国内外が益々使用される可能性が極めて高い。
【図面の簡単な説明】
【００１６】
【図１】本発明の一実施例で、コークス炭化炉のコークス排出側（またはコークス押出側）の出入口を閉塞した炭化炉蓋とその近傍のコークス炭化炉の縦断面図を示す。
【図２】本発明における炉内ガス燃焼用空気送出量制御ノズルの一実施例を、詳細拡大図で示す。
【図３】本発明における炉内ガス燃焼用空気送出量制御ノズルで、他の一実施例を詳細拡大図で示す。
【符号の説明】
【００１７】  １  コークス炭化炉
３  炭化炉蓋
１３  炉内ガス燃焼室
１７  炉内ガス燃焼用空気送出量制御ノズル
１９  空気チャンバー
２３  ガス昇降流通ガイド板
２４  空気吸入口
２５  吸入空気吐出口
２６  空気吸引パイプ
２７  吸入空気送出口
２８  吸入空気流入口
２９  吸入空気送出パイプ
３０  吸入空気通気孔
３１  吸入空気送出カップ
３４  閉塞弁盤
３５  コイルバネ
３７  閉塞弁盤飛行制止板
３８  弁盤昇降ガイドフレーム
３９  気流ガイド板
４０  コイルバネ遊嵌リング
４１  コイルバネ遊嵌リング
４２  下向き外套カップ
Ａ  隔離室
Ｂ  隔離室
Ｓ  噴留空間室
【図１】
2006233163.tif 000003
【図２】
2006233163.tif 000004
【図３】
2006233163.tif 000005